(57)【要約】【課題】クジなどを、質感の高いものとし、折って開封することにより、従来にない快感が味わえ、しかも、開封時に隠蔽された情報を選択する興奮も得られるようにする。【解決手段】柔軟性の少ない薄板状の背板３に選択されるべき情報を露出させるための折り目３ａを設け、一対の剥離紙１、２にそれぞれミシン目１ａ又は１ｂを設け、折り目３ａとミシン目１ａ及び１ｂが重なるようにして、背板３を挟んで、その両面に沿って一対の剥離紙１、２を剥離可能に貼り付ける。背板３を折り曲げた場合に、折り目３ａの谷側に働く圧縮力に対向する、山側の伸張力により、一対の剥離紙１、２の一方のみが分断されるような構成とする。【選択図】図１
2007168221.tif 000002
【特許請求の範囲】
【請求項１】
選択されるべき情報が外部から見えない所に隠蔽されているカードであって、
柔軟性の少ない薄板状の背板と、
周縁部の二点間を結ぶ線に沿って折り曲げるために前記背板に設けた折り目と、
前記背板の両面に沿って剥離可能に接着された一対の剥離紙と、
前記選択されるべき情報を露出させるために前記折り目に沿って前記背板を折り曲げた場合に、前記折り目の谷側の圧縮力に対向する山側の伸張力により前記一対の剥離紙の一方のみが分割されるよう前記剥離紙に設けた分割線と、
を含む選択情報隠蔽カード。
【請求項２】
請求項１に記載の選択情報隠蔽カードにおいて、
前記一対の剥離紙の一方に設けられた前記分割線と他方に設けられた前記分割線が、前記折り目を挟んで重なる状態にあること、
を特徴とする選択情報隠蔽カードである。
【請求項３】
請求項１又は請求項２のいずれかに記載の選択情報隠蔽カードにおいて、
前記情報は、クジの当り外れ、又は、当りクジの景品の種別を含む抽選にかかわる情報であること、
を特徴とする選択情報隠蔽カード。
【発明の詳細な説明】
【技術分野】
【０００１】
本発明は、閉じられた内部に当落などの選択情報を隠蔽した状態で記載し折って開封する、クジなどに適した選択情報隠蔽カードに関するものである。
【背景技術】
【０００２】
近年、販促戦略の一つとしてクジがよく使われる。その一例として、コンビニエンスストアのレジに置いたクジを会計時に引いてもらい、当たりがでると特定商品の割引が受けられるようなもの等が、最近よく行われている。通常この種のクジは、古くから存在する三角クジや塗られたペーストをコイン等で削るスクラッチカード（例えば特許文献１）、剥離性のノリで接着した片側をめくるようなクジ等が一般的である。
【０００３】
上記のようなクジは広く知れ渡っているため、本来、クジの持っている開封時の開ける楽しみが薄れてきている。そのため、開封もしてもらえずに廃棄されてしまうものも少なくない。したがって、そのデザイン、形態、開封のさせ方等いろいろと趣向を凝らし、消費者の開封率、リピート率を上げることに専念する傾向にある。
しかし、多くのクジ又はスクラッチカードの中から一つを選ぶ、選んだものを開封、又はペーストを削る、などの動作によってクジの当り外れなどを表示させるが、開封ないしは削る動作を行うときには、すでにクジ又はカードに表示されている内容が決まっているから、これらの動作中に興奮を増大させる要素は小さい。
【特許文献１】特開２００３−２００６８２号公報
【発明の開示】
【発明が解決しようとする課題】
【０００４】
本発明の課題は、開封時に薄板状のものを折ってクラックするという従来にない快感が味わえ、しかも開封時に隠蔽された情報を選択できるようにして、従来には無かった高い興奮度が得られるような、選択情報隠蔽カードを提供することである。
【課題を解決するための手段】
【０００５】
前記課題を解決するために、請求項１の発明は、選択されるべき情報（５ａ、５ｂ）が外部から見えない所に隠蔽されているカードであって、柔軟性の少ない薄板状の背板（３）と、周縁部の二点間を結ぶ線に沿って折り曲げるために前記背板（３）に設けた折り目（３ａ）と、前記背板（３）の両面に沿って剥離可能に接着された一対の剥離紙（１，２）と、前記選択されるべき情報（５ａ、５ｂ）を露出させるために前記折り目（３ａ）に沿って前記背板（３）を折り曲げた場合に、前記折り目（３ａ）の谷側の圧縮力に対向する山側の伸張力により前記一対の剥離紙（１、２）の一方のみが分割されるよう前記剥離紙（１、２）に設けた分割線（１ａ、２ａ）と、を含む選択情報隠蔽カードである。
【０００６】
請求項２の発明は、請求項１に記載の選択情報隠蔽カードにおいて、前記一対の剥離紙の一方（１）に設けられた前記分割線（１ａ）と他方（２）に設けられた前記分割線（２ａ）が、前記折り目（３ａ）を挟んで重なる状態にあること、を特徴とする選択情報隠蔽カードである。
【０００７】
請求項３の発明は、請求項１又は請求項２のいずれかに記載の選択情報隠蔽カードにおいて、前記情報（５ａ、５ｂなど）は、クジの当り外れ、又は、当りクジの景品の種別を含む抽選にかかわる情報であること、を特徴とする選択情報隠蔽カードである。
【発明の効果】
【０００８】
以上説明したように、本発明によれば、以下のような効果がある。
（１）柔軟性の少ない薄板状の背板の両面に沿って剥離可能に一対の剥離紙を接着し、背板には折り目を、剥離紙には分割線を設け、背板を折り曲げた場合に、折り目の谷側の圧縮力に対向する山側の伸張力により一対の剥離紙の一方のみが分割されるよう構成することにより、厚くて硬質感があり、しかも、折って開くという従来にない快感が味わえ、また、多くの中から選んだものを開封する場合は、開封時の選択により２重の興奮を味わうことができる。
【０００９】
（２）上記選択情報隠蔽カードにおいて、一対の剥離紙の一方に設けられた分割線と他方に設けられた分割線が、折り目を挟んで重なる状態に構成することにより、背板の折り目で山折りにするか谷折りにするかによって、異なった情報の選択が具体的に行えるようになる。
【００１０】
（３）上記選択情報隠蔽カードにおいて、選択されるべき情報を、クジの当り外れ、又は、当りクジの景品の種別などの抽選情報とすることにより、開封時に快い感触が味わえ、しかも、多くの中から任意のものを選んでから、さらに、開封時の選択による興奮を重ねて味わうことができるので、従来にない新鮮味のある新しいクジを提供することができる。
【発明を実施するための最良の形態】
【００１１】
本発明は、開封時に、従来にない感触が味わえ、しかも選択による興奮も味わえるようにするという目的を、例えば、当り付きのクジを、中央に折り目の入った背板となる厚紙、又は軽量な発泡薄板の両面に、当りや外れのクジを、剥離性の高い糊で貼り付けて構成し、開封時に、その背板をどちらの方向に折り曲げるかで、クジの一方のみのミシン目が破れるようにして、破れたクジは無効、破れなかったクジは有効とすることによって、通常の剥離クジより厚く、かつ、硬質感のあるもので、しかも、開封時に、今までに無い折って開けるという楽しみを持った新しいタイプのクジを実現する。
【実施例】
【００１２】
以下に、図面等を参照して、発明を実施するための最良の形態を、実施例をあげて説明する。
図１は、本発明による折って開封する被選択情報隠蔽カードの実施例１（クジ）を示す説明図（斜視図）である。
図１では、実施例１の一部（小さい楕円で囲んだ部分）を、拡大して大きな楕円で囲んだ部分に示してある。
図２は、図１のクジを開封するために中央部が高くなる折り方（山折り）にした場合について、一部を拡大して示した断面図である。
図３は、図１のクジの構成を示すための説明図（分解斜視図）である。
なお、図中に点の列で示した鏡像文字は、裏面にそれに対応する文字が表示されていることを示す。以下の各図においても同様である。
【００１３】
本発明の実施例１は、図１及び図３に示すように、背板３の上下両面に沿って、それぞれの面を覆うように、一対の剥離紙１及び２が図示しない接着剤で接着されている。この接着剤の接着力は、剥離紙１又は２の端部を指でつまんで引っ張ることによって、それらの剥離紙を背板３から剥がすことができる程度のものである。
背板３は、厚紙又は発泡樹脂の薄板などのように、それほど硬くなくてもよいが、柔軟性が低く、折り目を付けておきさえすれば、指先で容易に折り曲げ引きちぎることができるものがよい。
【００１４】
背板３には、中央に折り目３ａが設けられている。剥離紙１及び２にもそれぞれの中央部にミシン目１ａ又は２ａが設けられている。背板３と剥離紙１及び２が貼り合わされた状態では、折り目３ａにミシン目１ａ及び２ａが重なっている。そこで、この部分を上から見て山折になるように折り曲げると、背板３の折り目３ａに沿った断面の下側には、左右からの圧縮力が働き、上側には左右を引き離す伸張力が働く。そこで、図２のように、上側の剥離紙１は、ミシン目１ａのところから切断される。なお、下側のミシン目２ａに働く力は圧縮力であるので、剥離紙２は切り離されることは無い。
【００１５】
もし、折り目３ａの部分を上から見て谷折りになるように折り曲げると、断面の上側に圧縮力が働き、下側に伸張力が働くので、下側の剥離紙２は、ミシン目２ａのところから切断される。そして、ミシン目１ａに働く力は圧縮力であるので、上側の剥離紙１は切り離されることは無い。
【００１６】
図４及び図５は、実施例１のクジが開封される過程を示す説明図（斜視図）である。
図２に示す山折りの状態から実施例１の全体を左右に引っ張ると、図４に示すように、背板３も折り目３ａのところから切断されて左右の片１３ａ、１３ｂとなり、左右の片１２ａ、１２ｂで構成される下側の剥離紙２は、切断された背板３の左右の片１３ａ、１３ｂの端部から、それぞれ剥がされていく。
図５の状態では、下側の剥離紙２から背板３の片１３ａ、１３ｂの殆どの部分が剥がされて、選択された情報（この場合は当たりの文字５ａ）が見えている。
図６は、クジの開封が完了した状態を示す斜視図である。図では切断された上側の剥離紙の片１１ａ、１１ｂのそれぞれと、それに貼り付いたまま切断された背板の左右の片１３ａと１３ｂを、切断されないで剥がされた下側の剥離紙２の両側に並べた状態で示してある。
【００１７】
図７及び図８は、実施例１のクジが開封される別の過程を示す説明図（斜視図）である。
図２に示す山折りに対して上下関係が逆になる谷折りの状態から実施例１の全体を左右に引っ張ると、図７に示すように、背板３も折り目３ａのところから切断され、上側の剥離紙１の左半分の片１１ａ及び右半分の片１１ｂは、切断された背板３の左右の片１３ａ、１３ｂの端部から、それぞれ剥がされていく。
図８の状態では、上側の剥離紙１から背板３の殆どの部分が剥がされている。
図９は、クジの開封が完了した状態を示す斜視図である。図では切断された下側の剥離紙１２ａ、１２ｂのそれぞれとそれに貼り付いたまま切断された背板の左右の片１３ａと１３ｂを下に置き、上側で切断されなかった剥離紙１の内側に表示した情報（この場合は「はずれ」の文字５ｂ）が見えるように持ち上げた状態で示してある。
【００１８】
（変形例）
以上説明した実施例に限定されることなく、種々の変形や変更が可能であって、それらも本発明の均等の範囲内である。
上記の実施例では、選択されるべき情報としては、クジの当たり外れの場合について説明したが、クジ以外の情報を隠蔽するカードであってもよい。例えば、旅行会社のバスツアーなどにおいては、みやげ物の割り当てや部屋割りなどを、参加者に選択させる場合にも使用することができる。
【００１９】
また、カードの構造についても種々な変形が可能である。
例えば、図１０は、その変形例の一つである。図１０は、上側の剥離紙２１、背板２３、下側の剥離紙２２を、接着前の状態で、上から重ねる順に左から右方向に並べて示した平面図である。この例では、角型カードの対向する角の部分を、表側、又は裏側から背板２３の折り目２３ａ又は２３ｂに沿って折ることによって、それぞれに対応した文字があらわれる。すなわち、折り目２３ａで折れば山折りとなり、ミシン目２１ａが切断されて、下側の剥離紙２２の内側に印刷された「特等賞」などの文字２５ａが現れ、折り目２３ｂで折れば谷折となり、ミシン目２２ｂが切断されて「はずれ」などの文字２５ｂが現れる。なお、点の列で表した文字２５ｂは、上側の剥離紙２１の内側に印刷されているので、剥がさなければ表からは見えない。
【００２０】
図１１は、他の変形例の一つである。図１１は、上側の剥離紙３１、背板３３、下側の剥離紙３２を、接着前の状態で、上から重ねる順に左から右方向に並べて示した平面図である。この例では、丸型カードの中央から左右の対向部分を、又は、上下の対向部分を、背板３３の折り目３３ａ又は３３ｂに沿って折ることによって、それぞれに対応した文字があらわれる。すなわち、折り目３３ａで折れば山折りとなり、ミシン目３１ａが切断されて、下側の剥離紙３２の内側に印刷された「景品Ｘ」などの文字３５ａが現れ、折り目３３ｂで折れば谷折りとなり、ミシン目３２ｂが切断されて「はずれ」などの文字３５ｂが現れる。
【００２１】
図１２は、さらに他の変形例の一つである。図１２は、構成要素のそれぞれを、接着前の状態で、左側に表面を、右側に裏面を示し、上から順に、上側の剥離紙４１、背板４３、下側の剥離紙４２を並べて示した説明図である。
図において、Ｆ１、Ｆ３、Ｆ２、は、それぞれ上側の剥離紙４１、背板４３、下側の剥離紙４２の表面であり、Ｂ１、Ｂ３、Ｂ２、は、それぞれ上側の剥離紙４１、背板４３、下側の剥離紙４２の裏面である。
なお、４４ｆは表側から見える情報、４４ｂは裏側から見える情報であり、４５ｆ、４５ｂは隠蔽された情報である。
【００２２】
この変形例は、背板４３を挟んで、その上下両面に上側の剥離紙４１、下側の剥離紙４２が貼り付けられるが、この例では、長方形のカードを、中央部とその左右の部分をほぼ３等分するように、上側の剥離紙４１には、ミシン目４１ａ、４１ｂを、背板４３には、折り目４３ａ、４３ｂを、下側の剥離紙４２には、ミシン目４２ａ、４２ｂを設けている。背板４３の折り目４３ａ又は４３ｂに沿って折ることによって、それぞれに対応して隠蔽されていた数字４５ｆ又は４５ｂがあらわれる。すなわち、折り目４３ａ、４３ｂを山折りすると、ミシン目４１ａ、４１ｂが切断されて、下側の剥離紙４２の内側に印刷された「１」、「４」などの数字４５ｆが現れ、谷折りあるいは裏返して山折りすると、ミシン目４２ａ、４２ｂが切断されて「８」、「８」の数字４５ｂが現れる。
【００２３】
このとき、現れる数字のすべてが同一である場合や、数字が大きさの順に続いている場合などを、当たりクジとすれば、山折りにしてＦ２の情報表示面が現れる場合は、はずれで、谷折にしてＢ１の情報表示面が現れる場合は、当選ということになる。
図１２の変形例において、印刷はＦ１とＦ２のみとし、下側の剥離紙４２にミシン目４２ａ及び４２ｂを設けなければ、山折のみが可能で、選択される情報は固定されるが、それでも多くの中から選んだカードを、期待を持って順次開いていくスリルを味わうことができる。
【００２４】
上記の実施例１及び各変形例のすべてに関し、それぞれの各要素の組み合わせを変えることによって、無数の変形例がえられる。また、印刷される選択情報は、文字や、数字以外の図柄、例えば、人気漫画のキャラクターや、動植物などを印刷しておき、それぞれの図柄に対応して、当たり外れや、当たりの場合の景品の種別などを決めて使用してもよい。
【図面の簡単な説明】
【００２５】
【図１】本発明による折って開封する被選択情報隠蔽カードの例（クジ）を示す説明図（斜視図）である。
【図２】開封するために山折りした図１のクジの一部を拡大して示した断面図である。
【図３】図１のクジの構造を示すための説明図（分解斜視図）である。
【図４】図１のクジを山折りで開封する過程を示す説明図（斜視図）である。
【図５】図４に続き図１のクジを開封する過程を示す説明図（斜視図）である。
【図６】図１のクジの山折りの開封が完了した状態を示す斜視図である。
【図７】図１のクジを谷折りで開封する過程を示す説明図（斜視図）である。
【図８】図７に続き図１のクジを開封する過程を示す説明図（斜視図）である。
【図９】図１のクジの谷折りの開封が完了した状態を示す斜視図である。
【図１０】一変形例のクジを分解して示す説明図（平面図）である。
【図１１】他の変形例のクジを分解して示す説明図（平面図）である。
【図１２】さらに他の変形例のクジを分解してその表裏を示す説明図である。
【符号の説明】
【００２６】
１、２１、３１、４１    上側の剥離紙
１ａ、２ａ、２１ａ、２２ｂ、３１ａ、３２ｂ、４１ａ、４１ｂ、４２ａ、４２ｂ    ミシン目
２、２２、３２、４２    下側の剥離紙
３、２３、３３、４３    背板
３ａ、２３ａ、２３ｂ、３３ａ、３３ｂ、４３ａ、４３ｂ    折り目
５ａ、５ｂ、２５ａ、２５ｂ、３５ａ、３５ｂ    被選択情報
【図１】
2007168221.tif 000003
【図２】
2007168221.tif 000004
【図３】
2007168221.tif 000005
【図４】
2007168221.tif 000006
【図５】
2007168221.tif 000007
【図６】
2007168221.tif 000008
【図７】
2007168221.tif 000009
【図８】
2007168221.tif 000010
【図９】
2007168221.tif 000011
【図１０】
2007168221.tif 000012
【図１１】
2007168221.tif 000013
【図１２】
2007168221.tif 000014